【手続補正書】
【提出日】平成17年10月21日(2005.10.21)
【手続補正１】
【補正対象書類名】明細書
【補正対象項目名】特許請求の範囲
【補正方法】変更
【補正の内容】
【特許請求の範囲】
【請求項１】  以下に示す条件式を満足する干渉膜を２面以上用いたことを特徴とする撮像装置。
Ｔｖ＞９８％
３０％＜Ｔｉ＜６０％
−０．６％／ｎｍ＜Ｋ＜−０．２％／ｎｍ
但し、Ｔｖは前記干渉膜における４２０ｎｍ〜５３０ｎｍの波長の分光透過率、Ｔｉは前記干渉膜における７２０ｎｍ〜９２０ｎｍの波長の分光透過率、Ｋは前記干渉膜における６２０ｎｍの波長の分光透過率の傾きを示す。
【請求項２】  光源と照明光学系と撮像光学系と可視光線から近赤外線の波長域にかけて感度をもつ撮像素子を有する撮像装置において、
青から緑にかけての可視光線の反射を防止し、赤から近赤外線の光の透過率をなだらかに減少させるような干渉膜を前記撮像光学系の中または前記照明光学系の中の少なくとも一方に設けており、
前記照明光学系には先端照明光学系が設けられており、前記先端照明光学系全体の分光透過率と前記撮像光学系全体の分光透過率との積が以下に示す条件式を満足していることを特徴とする撮像装置。
Ｔｖｔ＞７５％
Ｔｉｔ＜１５％
−２％／ｎｍ＜Ｋｔ＜−０．５％／ｎｍ
但し、Ｔｖｔは前記先端照明光学系全体における４２０ｎｍ〜５３０ｎｍの波長の分光透過率と前記入射端側光学素子における４２０ｎｍ〜５３０ｎｍの波長の分光透過率と前記撮像光学系全体における４２０ｎｍ〜５３０ｎｍの波長の分光透過率の積、Ｔｉｔは前記先端照明光学系全体における７２０ｎｍ〜９２０ｎｍの波長の分光透過率と前記入射端側光学素子における７２０ｎｍ〜９２０ｎｍの波長の分光透過率と前記撮像光学系全体における７２０ｎｍ〜９２０ｎｍの波長の分光透過率との積、Ｋｔは前記先端照明光学系全体における６２０ｎｍの波長の分光透過率と前記入射端側光学素子における６２０ｎｍの波長の分光透過率と前記撮像光学系全体における６２０ｎｍの波長の分光透過率との積の傾きを示す。
【請求項３】  近赤外の波長のレーザー光を用いてレーザー処理を行う内視鏡に用いる撮像装置であって、
該撮像装置を構成する撮像光学系中に、１枚以上のレーザー光を吸収するフィルターと、Ｎ面のレーザー光の透過率を減少させる干渉膜Ａ(J)(J＝1,2,・・・・,N) を設け、かつ、以下に示す条件式を満足する内視鏡の撮像装置。
Ｔｖａ(J)＞９８％  (J＝1,2,・・・・,N)
３０％＜Ｔｉａ(J)＜６０％  (J＝1,2,・・・・,N)
Ｔａｂ＜５％
Ｔｉａ(1)×Ｔｉａ(2)×・・・・×Ｔｉａ(N)×Ｔａｂ＜１％
但し、Ｔｖａ(J)は前記干渉膜Ａ(J)における４２０ｎｍ〜５３０ｎｍの波長の分光透過率、Ｔｉａ(J)は前記干渉膜Ａ(J)におけるレーザー光の波長での分光透過率、Ｔａｂは前記レーザー光を吸収するフィルターにおけるレーザー光の波長での分光透過率、Ｎは前記干渉膜Ａ(J)の面数を示す。
【請求項４】  近赤外の波長のレーザー光を用いてレーザー処理を行う内視鏡に用いる撮像装置であって、該撮像装置を構成する撮像光学系中に、Ｎ面のレーザー光の透過率を減少させる干渉膜Ａ(J)(J＝1,2,・・・・,N) を設け、かつ、以下に示す条件式を満足する内視鏡の撮像装置。
Ｔｖａ(J)＞９８％  (J＝1,2,・・・・,N)
３０％＜Ｔｉａ(J)＜６０％  (J＝1,2,・・・・,N)
Ｔａｂ＜５％
Ｔｉａ(1)×Ｔｉａ(2)×・・・・×Ｔｉａ(N)×Ｔａｂ＜１％
但し、Ｔｖａ(J)は前記干渉膜Ａ(J)における４２０ｎｍ〜５３０ｎｍの波長の分光透過率、Ｔｉａ(J)は前記干渉膜Ａ(J)におけるレーザー光の波長での分光透過率、Ｔａｂは前記レーザー光を吸収するフィルターにおけるレーザー光の波長での分光透過率、Ｎは前記干渉膜Ａ(J)の面数を示す。
【手続補正２】
【補正対象書類名】明細書
【補正対象項目名】００２４
【補正方法】変更
【補正の内容】
【００２４】
請求項１にかかる発明は、以下に示す条件式を満足する干渉膜を２面以上用いた撮像装置に関するものである。
Ｔｖ＞９８％
３０％＜Ｔｉ＜６０％
−０．６％／ｎｍ＜Ｋ＜−０．２％／ｎｍ
但し、Ｔｖは前記干渉膜における４２０ｎｍ〜５３０ｎｍの波長の分光透過率、Ｔｉは前記干渉膜における７２０ｎｍ〜９２０ｎｍの波長の分光透過率、Ｋは前記干渉膜における６２０ｎｍの波長の分光透過率の傾きを示す。
【手続補正３】
【補正対象書類名】明細書
【補正対象項目名】００２５
【補正方法】変更
【補正の内容】
【００２５】
請求項２にかかる発明は、光源と照明光学系と撮像光学系と可視光線から近赤外線の波長域にかけて感度をもつ撮像素子を有する撮像装置において、青から緑にかけての可視光線の反射を防止し、赤から近赤外線の光の透過率をなだらかに減少させるような干渉膜を撮像光学系の中または照明光学系の中の少なくとも一方に設けており、前記照明光学系には先端照明光学系が設けられており、前記先端照明光学系全体の分光透過率と前記撮像光学系全体の分光透過率との積が以下に示す条件式を満足する撮像装置に関するものである。
Ｔｖｔ＞７５％
Ｔｉｔ＜１５％
−２％／ｎｍ＜Ｋｔ＜−０．５％／ｎｍ
但し、Ｔｖｔは前記先端照明光学系全体における４２０ｎｍ〜５３０ｎｍの波長の分光透過率と前記入射端側光学素子における４２０ｎｍ〜５３０ｎｍの波長の分光透過率と前記撮像光学系全体における４２０ｎｍ〜５３０ｎｍの波長の分光透過率の積、Ｔｉｔは前記先端照明光学系全体における７２０ｎｍ〜９２０ｎｍの波長の分光透過率と前記入射端側光学素子における７２０ｎｍ〜９２０ｎｍの波長の分光透過率と前記撮像光学系全体における７２０ｎｍ〜９２０ｎｍの波長の分光透過率との積、Ｋｔは前記先端照明光学系全体における６２０ｎｍの波長の分光透過率と前記入射端側光学素子における６２０ｎｍの波長の分光透過率と前記撮像光学系全体における６２０ｎｍの波長の分光透過率との積の傾きを示す。
【手続補正４】
【補正対象書類名】明細書
【補正対象項目名】００２６
【補正方法】変更
【補正の内容】
【００２６】
請求項３にかかる発明は、近赤外の波長のレーザー光を用いてレーザー処理を行う内視鏡に用いる撮像装置であって、該撮像装置を構成する撮像光学系中に、１枚以上のレーザー光を吸収するフィルターと、Ｎ面のレーザー光の透過率を減少させる干渉膜Ａ(J)(J＝1,2,・・・・,N) を設け、かつ、以下に示す条件式を満足する撮像装置に関するものである。
Ｔｖａ(J)＞９８％  (J＝1,2,・・・・,N)
３０％＜Ｔｉａ(J)＜６０％  (J＝1,2,・・・・,N)
Ｔａｂ＜５％
Ｔｉａ(1)×Ｔｉａ(2)×・・・・×Ｔｉａ(N)×Ｔａｂ＜１％
但し、Ｔｖａ(J)は前記干渉膜Ａ(J)における４２０ｎｍ〜５３０ｎｍの波長の分光透過率、Ｔｉａ(J)は前記干渉膜Ａ(J)におけるレーザー光の波長での分光透過率、Ｔａｂは前記レーザー光を吸収するフィルターにおけるレーザー光の波長での分光透過率、Ｎは前記干渉膜Ａ(J)の面数を示す。
また、請求項４にかかる発明は、近赤外の波長のレーザー光を用いてレーザー処理を行う内視鏡に用いる撮像装置であって、該撮像装置を構成する撮像光学系中に、Ｎ面のレーザー光の透過率を減少させる干渉膜Ａ(J)(J＝1,2,・・・・,N) を設け、かつ、以下に示す条件式を満足する撮像装置に関するものである。
Ｔｖａ(J)＞９８％  (J＝1,2,・・・・,N)
３０％＜Ｔｉａ(J)＜６０％  (J＝1,2,・・・・,N)
Ｔａｂ＜５％
Ｔｉａ(1)×Ｔｉａ(2)×・・・・×Ｔｉａ(N)×Ｔａｂ＜１％
但し、Ｔｖａ(J)は前記干渉膜Ａ(J)における４２０ｎｍ〜５３０ｎｍの波長の分光透過率、Ｔｉａ(J)は前記干渉膜Ａ(J)におけるレーザー光の波長での分光透過率、Ｔａｂは前記レーザー光を吸収するフィルターにおけるレーザー光の波長での分光透過率、Ｎは前記干渉膜Ａ(J)の面数を示す。